(57)【要約】【課題】搬送装置による搬送作動を阻害することなく、搬送装置によって搬送される作物を雨や日差しから守ることが要望されていた。【解決手段】圃場の作物を機体後方上方に向けて搬送する搬送装置４と、搬送装置４にて搬送された作物が受け渡されるとともに受け渡された作物を回収する回収部８と、機体の上方を覆う屋根１０とが備えられ、屋根１０が、搬送装置４の上方を覆う作用状態と、搬送装置４の上方を開放する非作用状態とに切り換え可能に支持されている。【選択図】図１
2020110109.tif 000002
【特許請求の範囲】
【請求項１】
圃場の作物を機体後方上方に向けて搬送する搬送装置と、
前記搬送装置にて搬送された作物が受け渡されるとともに受け渡された作物を回収する回収部と、機体の上方を覆う屋根とが備えられ、
前記屋根が、前記搬送装置の上方を覆う作用状態と、前記搬送装置の上方を開放する非作用状態とに切り換え可能に支持されている作物収穫機。
【請求項２】
前記搬送装置の後端部を上下方向に位置変更調節可能な上下位置調節機構が備えられ、
前記上下位置調節機構は、前記屋根が前記非作用状態に切り換えられている状態で、前記搬送装置の後端部を高位置に位置変更可能である請求項１に記載の作物収穫機。
【請求項３】
前記屋根を前記作用状態と前記非作用状態とに切り換え可能なアクチュエータと、
前記屋根の状態変更を指令する手動操作式の指令手段と、
前記指令手段の指令に基づいて前記アクチュエータの作動を制御する制御装置とが備えられている請求項１又は２に記載の作物収穫機。
【請求項４】
前記搬送装置が、機体左右方向一端側に偏倚する状態で備えられ、
前記屋根は、前記搬送装置の上方に対応する端部側部分と、それ以外の本体部分とからなり、
前記本体部分が、位置固定状態で機体に支持され、
前記端部側部分が、前記本体部分に対して前後軸芯周りで揺動可能に支持され、且つ、前記搬送装置の上方を覆う前記作用状態と、前記搬送装置の上方を開放する前記非作用状態とに切り換え可能である請求項１から３のいずれか１項に記載の作物収穫機。
【請求項５】
前記搬送装置の機体左右方向他端側に運転部が備えられ、
前記運転部の後方に前記回収部が備えられ、
前記屋根は、前記運転部及び前記回収部の上方を覆う請求項４に記載の作物収穫機。
【発明の詳細な説明】
【技術分野】
【０００１】
本発明は、走行しながら圃場の作物を収穫する作物収穫機に関する。
【背景技術】
【０００２】
上記作物収穫機の一例としての大根等の根菜を収穫する収穫機において、従来では、機体左側に、圃場の作物を機体後方上方に向けて搬送する搬送装置が備えられ、機体後部に、搬送装置にて搬送された作物を回収する回収部として、横搬送装置や貯留用のコンテナ等が備えられたものがあった。搬送装置は、作物の長さや他の条件の違いに応じて、搬送終端部の上下位置が変更できるように構成されている。そして、機体右側には運転部が備えられ、運転部及び回収部の上方を覆う屋根が設けられていた（例えば、特許文献１参照）。
【先行技術文献】
【特許文献】
【０００３】
【特許文献１】特開平１０−２４３７１４号公報
【発明の概要】
【発明が解決しようとする課題】
【０００４】
上記従来構成は、運転部にて操縦する運転者や回収部に貯留される作物等に対して、雨が降りかかったり、日差しが当たるのを防止することが可能である。しかし、上記従来構成では、搬送装置によって搬送される途中の作物に対しては、雨が降りかかったり、日差しが当たるのを防止できない不利があった。
【０００５】
ところで、このような不利を解消するために、屋根を搬送装置の上方にまで延長することが考えられるが、搬送装置の搬送終端部の上下位置が変更される構成となっていることから、屋根の延長形成が行えないものとなっている。
【０００６】
そこで、搬送装置による搬送作動を阻害することなく、搬送装置によって搬送される作物を雨や日差しから守ることが要望されていた。
【課題を解決するための手段】
【０００７】
本発明に係る作物収穫機の特徴構成は、圃場の作物を機体後方上方に向けて搬送する搬送装置と、前記搬送装置にて搬送された作物が受け渡されるとともに受け渡された作物を回収する回収部と、機体の上方を覆う屋根とが備えられ、前記屋根が、前記搬送装置の上方を覆う作用状態と、前記搬送装置の上方を開放する非作用状態とに切り換え可能に支持されている点にある。
【０００８】
本発明によれば、機体の上方を覆う屋根が備えられており、その屋根が作用状態に切り換えられていると、屋根が搬送装置の上方を覆うので、搬送装置によって搬送される途中の作物に対しては、雨が降りかかったり、日差しが当たるのを防止することができる。
【０００９】
そして、例えば、収穫対象である作物の長さが異なる等の作業条件が変化して、搬送装置の搬送終端部の上下位置が高い位置に変化するような場合には、屋根を非作用状態に切り換えておくことにより、屋根が搬送装置による搬送作動を阻害することを回避できる。
【００１０】
従って、搬送装置による搬送作動を阻害することなく、搬送装置によって搬送される作物を雨や日差しから守ることが可能となった。
【００１１】
本発明においては、前記搬送装置の後端部を上下方向に位置変更調節可能な上下位置調節機構が備えられ、前記上下位置調節機構は、前記屋根が前記非作用状態に切り換えられている状態で、前記搬送装置の後端部を高位置に位置変更可能であると好適である。
【００１２】
本構成によれば、例えば作物の長さの違いに応じて、上下位置調節機構によって搬送装置の後端部を上下に位置変更させることにより、搬送装置の後端部から回収部への受け渡しが良好に行い易い状態に設定することができる。上下位置調節機構によって搬送装置の後端部を高い位置に変更させる際には、屋根を非作用状態に切り換えておくことで、搬送装置の後端部と屋根とが干渉することを回避することができる。
【００１３】
本発明においては、前記屋根を前記作用状態と前記非作用状態とに切り換え可能なアクチュエータと、前記屋根の状態変更を指令する手動操作式の指令手段と、前記指令手段の指令に基づいて前記アクチュエータの作動を制御する制御装置とが備えられていると好適である。
【００１４】
本構成によれば、指令手段を手動することにより、アクチュエータの操作力を用いて屋根を作用状態と非作用状態とに切り換えることができる。例えば、指令手段を運転部に備えておくと、運転部にて運転操作しながら指令することができ、屋根の切り換え操作を容易に行うことができる。
【００１５】
本発明においては、前記搬送装置が、機体左右方向一端側に偏倚する状態で備えられ、前記屋根は、前記搬送装置の上方に対応する端部側部分と、それ以外の本体部分とからなり、前記本体部分が、位置固定状態で機体に支持され、前記端部側部分が、前記本体部分に対して前後軸芯周りで揺動可能に支持され、且つ、前記搬送装置の上方を覆う作用状態と、前記搬送装置の上方を開放する非作用状態とに切り換え可能であると好適である。
【００１６】
本構成によれば、搬送装置の上方に対応する端部側部分のみが、作用状態と非作用状態とに切り換え可能であるから、屋根全体を姿勢変更する場合に比べて、支持構造が簡単であり、姿勢切り換え操作も行い易い。又、機体の上方側の多くの部分を覆う屋根の本体部分が位置固定状態であるから、作業条件の変化にかかわらず、本体部分の下方側に位置する箇所に対して雨や日差しから守ることが可能である。
【００１７】
本発明においては、前記搬送装置の機体左右方向他端側に運転部が備えられ、前記運転部の後方に前記回収部が備えられ、前記屋根は、前記運転部及び前記回収部の上方を覆うと好適である。
【００１８】
本構成によれば、運転部にて運転操作する運転者や回収部に貯留される作物等に対しても、雨や日差しから守ることが可能である。
【図面の簡単な説明】
【００１９】
【図１】大根収穫機の側面図である。
【図２】大根収穫機の平面図である。
【図３】搬送装置の支持構造を示す断面図である。
【図４】ウェイト位置変更部の付近の平面図である。
【図５】電動シリンダの支持構造を示す斜視図である。
【図６】制御ブロック図である。
【発明を実施するための形態】
【００２０】
本発明を実施するための形態について、図面に基づいて説明する。なお、以下の説明では、矢印Ｆの方向を「機体前側」（図１及び図２参照）、矢印Ｂの方向を「機体後側」（図１及び図２参照）、矢印Ｕの方向を「上側」（図１参照）、矢印Ｄの方向を「下側」（図１参照）、矢印Ｌの方向を「機体左側」（図２参照）、矢印Ｒの方向を「機体右側」（図２参照）とする。
【００２１】
（大根収穫機の全体構成）
図１及び図２に本発明に係る作物収穫機の一例である大根収穫機が示されている。大根収穫機は、右及び左のクローラ型式の走行装置２により、機体１が支持されており、機体１の右前部に運転部３が支持され、機体１の左部に、搬送装置４が前後方向に沿って支持されている。従って、搬送装置４が、機体左右方向一端側としての機体左側に偏倚する状態で備えられ、搬送装置４の機体左右方向他端側としての機体右側に運転部３が備えられている。搬送装置４の前部に分離装置５が支持され、機体１の前部に補助車輪６及びサブソイラ１７が支持されている。
【００２２】
搬送装置４の後部の下側の位置に、搬送コンベア７が左右方向に沿って支持され、機体１の後部に回収部としての貯留部８が支持されており、搬送コンベア７と貯留部８との間に、補助の作業者の為の作業デッキ９が備えられている。機体１の上部に屋根１０が支持されており、屋根１０は、前後方向で運転部３から貯留部８に亘っており、左右方向で運転部３から搬送装置４に亘っている。
【００２３】
（搬送装置の構成）
図１に示すように、搬送装置４は、前部が圃場の近傍の低位置で、後部が搬送コンベア７の上側の高位置に位置するように、全体が後上がり状（前下がり状）に支持されている。
【００２４】
搬送装置４に、右及び左の支持フレーム１３、右及び左の第１搬送ベルト１１、右及び左の第２搬送ベルト１２、カッター１４等が備えられている。
【００２５】
右及び左の支持フレーム１３の前部に亘って、アーチ状の横向きフレーム１６が連結されている。支持フレーム１３の前端部及び後端部に、右及び左の回転体１５が支持され、前及び後の回転体１５に亘って第１搬送ベルト１１が取り付けられて、第１搬送ベルト１１の全体が後上がり状（前下がり状）に支持されている。
【００２６】
第２搬送ベルト１２は、第１搬送ベルト１１の前後方向での中間部の下側から第１搬送ベルト１１に沿って、後上がり状（前下がり状）に支持されている。第２搬送ベルト１２の後部において、第１搬送ベルト１１と第２搬送ベルト１２との間に、カッター１４が支持されている。
【００２７】
（分離装置の構成）
図１，２，４に示すように、分離装置５は、多数の係止爪１８ａ，１９ａが間隔を置いて並ぶように一体的に形成された４組の分離ベルト１８，１９と、上下方向に配置された縦フレーム２０とを備えており、縦フレーム２０が支持フレーム１３の前部に支持されている。
【００２８】
分離ベルト１９の係止爪１９ａが左右方向に向くように、２組の分離ベルト１９が、左右方向に間隔を置いて縦フレーム２０に回転自在に支持されており、右及び左の第１搬送ベルト１１の前部の前方において、右及び左の分離ベルト１９の係止爪１９ａが互いに対向する状態となっている。
【００２９】
分離ベルト１９の前方において、右及び左の分離ベルト１８が左右方向に間隔を置いて縦フレーム２０に回転自在に支持されており、分離ベルト１８の係止爪１８ａが前方を向いている。
【００３０】
（搬送装置の支持構造）
図１，２，３，４に示すように、機体１の左前部に、上リンク２２及び下リンク２３が上下に揺動自在に支持され、上リンク２２及び下リンク２３の前部に縦リンク２４が接続されて、四連リンクが構成されている。
【００３１】
上リンク２２及び下リンク２３の前部に、補助車輪６及びサブソイラ１７が支持されており、上リンク２２及び下リンク２３を上下に昇降させる油圧シリンダ２５が備えられている。
【００３２】
下リンク２３の前部の左右方向の軸芯Ｐ１周りに、支持リンク２６が揺動自在に支持され、支持リンク２６の上部の左右方向の軸芯Ｐ２周りに、支持リンク２７が揺動自在に支持されている。支持リンク２６，２７に亘って油圧シリンダ２８が接続されており、支持リンク２７の上部が、横向きフレーム１６の上部に揺動自在に接続されている。
【００３３】
搬送装置４の後端部を上下方向に位置変更調節可能な上下位置調節機構Ｑが備えられている。上下位置調節機構Ｑは次のように構成されている。すなわち、機体１の左後部に縦向き支持体２９が上下向きに連結されており、筒状部材３０が縦向き支持体２９に沿って上下方向にスライド自在に外嵌支持され、筒状部材３０を上下にスライド駆動する昇降用油圧シリンダ３１が備えられている。筒状部材３０の上端部に、支持フレーム１３の後部が揺動自在に接続されている。
【００３４】
昇降用油圧シリンダ３１により筒状部材３０を上下にスライドさせることによって、搬送装置４の後端部、すなわち、支持フレーム１３（第２搬送ベルト１２）の後部の高さを変更することができる。この場合、上下方向のスライドに伴う支持フレーム１３の前後方向の変位は、支持リンク２６，２７が軸芯Ｐ１周りに前後に揺動することによって吸収される。
【００３５】
（上下位置調節の制御系の構成）
図６に示すように、昇降用油圧シリンダ３１に作動油を給排操作して、昇降用油圧シリンダ３１を伸縮作動させる油圧制御弁Ｖ２と、油圧制御弁Ｖ２の作動を制御する制御装置４１と、搬送装置４の後端部の高さの上昇を指令する手動操作式の上昇スイッチ４２と、搬送装置４の後端部の高さの下降を指令する手動操作式の下降スイッチ４３とが備えられ、それらの各スイッチ４２，４３の指令に基づいて、制御装置４１が油圧制御弁Ｖ２を切り換えて昇降用油圧シリンダ３１を伸縮作動させる。制御装置４１は、マイクロコンピュータを備えており、種々の制御を実行可能である。
【００３６】
後述する（搬送装置及び分離装置による大根の収穫の流れ）に記載のように、大根Ａ（作物に相当）の収穫において、例えば大根Ａが長い場合、搬送装置４の後端部の高さを少し高くすればよい。大根Ａが短い場合、搬送装置４の後端部の高さを少し低くすればよい。これにより、第２搬送ベルト１２の後端部と搬送コンベア７の上下間隔を、大根Ａの長さに合わせることができる。
【００３７】
又、油圧シリンダ２８を伸長作動及び収縮作動させ、支持リンク２６，２７を屈伸させて、支持リンク２７の上部の位置を上下に変更することにより、第１搬送ベルト１１（支持フレーム１３）の前部の圃場からの高さを変更することができる。
【００３８】
上昇スイッチ４２及び下降スイッチ４３は、運転部３の操作パネル部に備えられている。上昇スイッチ４２及び下降スイッチ４３は、運転座席３Ｂに着座している運転者が操作する。この上昇スイッチ４２及び下降スイッチ４３の操作に基づいて搬送装置４の後端部の高さを変更する操作が行われると、作業デッキ９にて補助作業を行っている補助作業者に、そのことを知らせるために、ブザー４４を鳴動させて、そのことを報知するように構成されている。
【００３９】
（屋根）
図１，３に示すように、屋根１０は、屋根全体を支持する支持枠体４５と、支持枠体４５に装着されるシート部材４６とを備えている。尚、図３ではシート部材４６は記載を省略している。又、詳細な構造は図示していないが、支持枠体４５は、丸パイプ材を外周部を囲うように矩形状に曲げた周枠部と、周枠部の各辺に亘って架設される複数の中継杆とを備えている。シート部材４６は、例えば、ターポリン等のテント用生地材が用いられる。支持枠体４５は、機体１から立設された複数の支柱４７によって支持されている。
【００４０】
図３，５に示すように、屋根１０は、搬送装置４の上方に対応する端部側部分としての左後部１０ａと、それ以外の本体部分１０ｂとを備えている。本体部分１０ｂは、位置固定状態で機体１に支持されている。左後部１０ａは、本体部分１０ｂに対して前後軸芯Ｐ４周りで揺動可能に支持されている。そして、左後部１０ａが、搬送装置４の上方を覆う作用状態と、搬送装置４の上方を開放する非作用状態とに切り換え可能である。
【００４１】
説明を加えると、図３に示すように、屋根１０において、搬送装置４の後部の上側に位置する屋根１０の左後部１０ａは、屋根１０の本体部分１０ｂとは分離されている。支持枠体４５が、本体部分１０ｂと左後部１０ａとに分離されており、図５に示すように、左後部１０ａにおける支持枠体４５が本体部分１０ｂにおける支持枠体４５に対して、前後軸芯Ｐ４周りで揺動可能に枢支連結されている。左後部１０ａは、本体部分１０ｂに対して水平方向に連なる水平姿勢（作用状態に対応する）にて、本体部分１０ｂに取り付けられた受止め具４８によって受止め支持され、その姿勢を維持できるように構成されている。左後部１０ａは、作用姿勢から上方に向けて揺動可能である。
【００４２】
図１，３，５に示すように、複数の支柱４７のうちの機体前後中央部の左側端部に位置する支柱４７の上部に、屋根１０の左後部１０ａを上下に揺動駆動するアクチュエータとしての電動シリンダ４９が備えられている。この電動シリンダ４９は、一端部が支柱４７に設けられたブラケット５０に回動可能に支持され、他端部が左後部１０ａの支持枠体４５に設けられたブラケット５１に回動可能に支持されている。
【００４３】
（屋根の姿勢切り換えの制御系の構成）
図６に示すように、屋根１０の状態変更を指令する手動操作式の指令手段としての屋根開スイッチ５２及び屋根閉スイッチ５３が備えられ、制御装置４１が、それらの各スイッチ５２，５３の指令に基づいて電動シリンダ４９の作動を制御するように構成されている。
【００４４】
屋根開スイッチ５２を操作すると、電動シリンダ４９が伸長操作され、屋根１０の左後部１０ａが作用姿勢から上方に揺動操作され、搬送装置４の上方を開放させる縦向き姿勢（非作用状態に対応）に切り換えることができる（図３参照）。屋根開スイッチ５２の操作を停止すると、電動シリンダ４９は伸長操作を停止する。屋根１０の左後部１０ａが本体部分１０ｂに対して略直交する姿勢になるまで揺動操作させることができる。
【００４５】
屋根閉スイッチ５３を操作すると、電動シリンダ４９が縮退操作され、屋根１０の左後部１０ａが縦向き姿勢から下方に揺動操作される。屋根閉スイッチ５３の操作を停止すると、電動シリンダ４９は縮退操作を停止する。屋根１０の左後部１０ａが水平姿勢になるまで揺動操作させることができる。屋根１０の左後部１０ａが水平姿勢になると、受止め具４８によって受止め支持され、それ以上の揺動は阻止される（図１，５参照）。
【００４６】
前述の（搬送装置４の支持構造）に記載のように、昇降用油圧シリンダ３１により搬送装置４の後端部、すなわち、支持フレーム１３（第２搬送ベルト１２）の後部が昇降操作される場合、筒状部材３０が上下スライド範囲の中間部及び中間部から下側に位置しているときは、図１，２に示すように、屋根１０の左後部１０ａは、屋根１０の本体部分１０ｂに連なる水平姿勢に維持することで対応できる。
【００４７】
筒状部材３０が上下スライド範囲の中間部から上側に移動するときは、図３に示すように、屋根開スイッチ５２を操作して屋根１０の左後部１０ａを縦向き姿勢（非作用状態に対応）に切り換えることにより、搬送装置４の後部と屋根１０の左後部１０ａとの接触が回避される。
【００４８】
（分離装置の支持構造）
図１，２，４に示すように、支持フレーム１３の前部に、支持リンク３２が上下に揺動自在に支持されており、支持リンク３２の前部が、縦フレーム２０の下部に揺動自在に接続されている。
【００４９】
機体１の左前部の左右方向の軸芯Ｐ３周りに、操作アーム３３が上下に揺動自在に支持されており、操作アーム３３の前部が、縦フレーム２０の上部に揺動自在に接続されている。油圧シリンダ３４が、下リンク２３と操作アーム３３とに亘って接続されている。
以上の構造により、油圧シリンダ３４により操作アーム３３を上下に揺動駆動することによって、分離装置５の圃場からの高さを変更することができる。
【００５０】
支持リンク２６，２７及び油圧シリンダ３４が、下リンク２３に支持されている。機体１の旋回時等において、油圧シリンダ２５により上リンク２２及び下リンク２３（補助車輪６及びサブソイラ１７）を昇降させると、搬送装置４の前部及び分離装置５が一緒に昇降する。
【００５１】
支持フレーム１３と縦フレーム２０とが、支持リンク３２を介して接続されている。
油圧シリンダ２８により第１搬送ベルト１１（支持フレーム１３）の前部の圃場からの高さを変更しても、この動作が支持リンク３２に吸収されて、分離装置５の高さに変化は無い。
【００５２】
同様に、油圧シリンダ３４により分離装置５の圃場からの高さを変更しても、この動作が支持リンク３２に吸収されて、第１搬送ベルト１１（支持フレーム１３）の前部の高さに変化は無い。
【００５３】
（搬送装置及び分離装置による大根の収穫の流れ）
図１，２，４に示すように、機体１が前進するのに伴って、右及び左の分離ベルト１８の間に、収穫予定の列の大根Ａが入る。
【００５４】
右及び左の分離ベルト１８において前方に向く係止爪１８ａが、収穫予定の列の大根Ａの葉Ａ１と隣接する列の大根Ａの葉Ａ１との間を上側に移動するように、分離ベルト１８が回転駆動されて、隣接する大根Ａの葉Ａ１が互いに分離される。
【００５５】
次に収穫予定の列の大根Ａが右及び左の分離ベルト１９の間に入るのであり、右及び左の分離ベルト１９において対向する係止爪１９ａが上側に移動するように、分離ベルト１９が回転駆動されて、収穫予定の列の大根Ａにおいて、隣接する大根Ａの葉Ａ１が互いに分離される。
【００５６】
右及び左の第１搬送ベルト１１において対向する部分が後側に移動するように、第１搬送ベルト１１が回転駆動されている。同様に、右及び左の第２搬送ベルト１２も、対向する部分が後側に移動するように回転駆動されている。
【００５７】
収穫予定の列の大根Ａの葉Ａ１が、右及び左の第１搬送ベルト１１の前部から右及び左の第１搬送ベルト１１の間に入り込み、右及び左の第１搬送ベルト１１により挟持されながら、大根Ａが圃場から持ち上げられて（引き抜かれて）、後側に搬送される。この場合、サブソイラ１７により圃場の土が崩されるので、大根Ａが圃場から無理なく持ち上げられる（引き抜かれる）。
【００５８】
大根Ａは、第１搬送ベルト１１により後側に搬送され、大根Ａの葉Ａ１における第１搬送ベルト１１の下側部分が、右及び左の第２搬送ベルト１２により挟持されて搬送され、大根Ａの葉Ａ１における第２搬送ベルト１２の上側部分が、カッター１４により切断される。
【００５９】
第２搬送ベルト１２の後端部において、大根Ａが第２搬送ベルト１２から搬送コンベア７に落ちて、搬送コンベア７により右側に搬送される。作業デッキ９の作業者は、搬送コンベア７により搬送される大根Ａから、良品の大根Ａを取り出して貯留部８に整列状態に並べて置いていくのであり、不良の大根Ａは搬送コンベア７により搬送されて、搬送コンベア７の右端部から圃場に放出される。
【００６０】
この場合、前述の（搬送装置の支持構造）に記載のように、支持フレーム１３（第２搬送ベルト１２）の後部の高さを変更して、第２搬送ベルト１２の後端部と搬送コンベア７の上下間隔を、大根Ａの長さに合わせることにより、第２搬送ベルト１２に後端部において、大根Ａが、こぼれ落ちることなく、第２搬送ベルト１２から搬送コンベア７に落ちるようにすることができる。
【００６１】
大根Ａの葉Ａ１は、第１搬送ベルト１１により後側に搬送され、第１搬送ベルト１１の後端部から圃場に放出される。この場合、大根Ａの葉Ａ１が第１搬送ベルト１１の後端部の略真下に落下するように、大根Ａの葉Ａ１を案内する案内板２１が備えられている。
【００６２】
（バランスウェイトを支持するウェイト支持部の構造）
図４に示すように、機体１の左前部にバランスウェイト３５が支持されている。そして、このバランスウェイト３５の位置を前後方向に変更可能なウェイト位置変更部４０が備えられている。
【００６３】
機体１の左前部において、角パイプ状の右及び左のガイド部３６が、平面視で上リンク２２及び下リンク２３の機体中央側（右側）に、前後方向に沿って連結されている。角パイプ状の右及び左のスライド部３７が、ガイド部３６に挿入されて、ガイド部３６に沿って前後方向にスライド自在に支持されている。
【００６４】
右及び左のスライド部３７の前部に亘って支持部３８が連結されており、支持部３８にバランスウェイト３５を取り付ける。復動型の前後移動用油圧シリンダ３９が、機体１と支持部３８とに亘って接続されている。
【００６５】
前後移動用油圧シリンダ３９を伸縮作動させることにより、支持部３８及びスライド部３７を一体で、前後方向に移動させることができる（バランスウェイト３５の位置を、前後方向に変更することができる）。
【００６６】
この場合、支持部３８及びバランスウェイト３５は、平面視で上リンク２２及び下リンク２３の機体中央側（右側）に沿って、後限度位置Ｂ１及び前限度位置Ｂ２に亘って、前後方向に移動する。前限度位置Ｂ２は補助車輪６に対して後側の位置であり、支持部３８及びバランスウェイト３５は、前限度位置Ｂ２に達しても、補助車輪６に接触することはない。
【００６７】
以上のように、ウェイト位置変更部４０は、ガイド部３６、スライド部３７、支持部３８及び前後移動用油圧シリンダ３９等を備えている。複数のバランスウェイト３５を、支持部３８に左右方向に並べて、取り付け及び取り外し自在であり、支持部３８に取り付けられるバランスウェイト３５の数を、任意に設定（変更）することができる。
【００６８】
（ウェイト位置変更部の制御系の構成）
図５に示すように、油圧シリンダ３９に作動油を給排操作して、油圧シリンダ３９を伸縮作動させる油圧制御弁Ｖ２と、バランスウェイト３５の前方への移動を指令する手動操作式の前移動スイッチ５５と、バランスウェイト３５の後方への移動を指令する手動操作式の後移動スイッチ５６とが備えられている。
【００６９】
制御装置４１は、前移動スイッチ５５の操作により、バランスウェイト３５を前方へ移動させるように油圧制御弁Ｖ２を切り換えて前後移動用油圧シリンダ３９を操作する。制御装置４１は、後移動スイッチ５６の操作により、バランスウェイト３５を後方へ移動させるように油圧制御弁Ｖ２を切り換え操作する。これにより、後限度位置Ｂ１及び前限度位置Ｂ２の間において、支持部３８及びバランスウェイト３５を所望の位置に位置させることができる。
【００７０】
前移動スイッチ５５及び後移動スイッチ５６は、運転部３の操作パネル部に備えられている。前移動スイッチ５５及び後移動スイッチ５６は、運転座席３Ｂに着座している運転者が操作する。この操作に基づいてバランスウェイト３５の位置を前後方向に変更する操作が行われると、作業デッキ９にて補助作業を行っている補助作業者に、そのことを知らせるために、ブザー４４を鳴動させて、そのことを報知するように構成されている。
【００７１】
バランスウェイト３５の位置を、前後方向に変更する制御構成としては、上述したように手動操作による移動操作とは別に、例えば、機体の前後傾斜角を検出する傾斜センサを備えて、傾斜センサの検出結果に基づいて機体前後姿勢が水平姿勢になるように油圧制御弁Ｖ２を切り換えて前後移動用油圧シリンダ３９を操作する構成を採用することもできる。
【００７２】
このような構成を備えることで、作業の進行及び貯留部８への大根Ａの貯留に伴って、全体の重心が後側に移動して、機体１の後下がり状態になると、バランスウェイト３５を前側に移動させて、機体１を水平状態に戻すことができる。
【００７３】
〔別実施形態〕
（１）上記実施形態では、屋根１０が左後部（端部側部分）１０ａとそれ以外の本体部分１０ｂとに分割され、本体部分１０ｂが、位置固定状態で機体１に支持され、左後部（端部側部分）１０ａが、作用状態と非作用状態とに切り換え可能に構成したが、この構成に代えて、屋根１０全体が揺動可能に支持され、搬送装置４の上方に対応する箇所が、搬送装置４の上方を覆う状態と開放する状態とに切り替わる構成としてもよい。
【００７４】
（２）上記実施形態では、アクチュエータとして電動シリンダ４９を用いるようにしたが、電動シリンダ４９に代えて、油圧シリンダや油圧モータ、電動モータ等を用いてもよい。
【００７５】
（３）上記実施形態では、屋根１０をアクチュエータ（電動シリンダ４９）により作用状態と非作用状態とに状態変更する構成としたが、この構成に代えて、手動操作により状態変更する構成としてもよい。
【００７６】
（４）上記実施形態では、屋根１０が搬送装置４、運転部３及び貯留部（回収部）８の夫々の上方を覆う構成としたが、この構成に代えて、搬送装置４と、運転部３とを覆う構成、搬送装置４と貯留部８とを覆う構成、あるいは、搬送装置４だけを覆う構成であってもよい。
【産業上の利用可能性】
【００７７】
本発明は、大根収穫機の他、人参収穫機や玉葱収穫機等の各種の作物収穫機に適用できる。
【符号の説明】
【００７８】
１          機体
３          運転部
４          搬送装置
８          回収部
１０        屋根
１０ａ      左後部（端部側部分）
１０ｂ      本体部分
４１        制御装置
４９        電動シリンダ（アクチュエータ）
５２        屋根開スイッチ（指令手段）
５３        屋根閉スイッチ（指令手段）
Ｐ４        前後軸芯
Ｑ          上下位置調節機構
【図１】
2020110109.tif 000003
【図２】
2020110109.tif 000004
【図３】
2020110109.tif 000005
【図４】
2020110109.tif 000006
【図５】
2020110109.tif 000007
【図６】
2020110109.tif 000008